(57)【要約】      （修正有）【課題】  樹脂成形ハウジングの外周面の真円度を改善する。【解決手段】  ハウジング７と、ハウジング７の内部に固定された軸受スリーブ８と、ハウジング７及び軸受スリーブ８に対して相対回転する回転部材と、軸受スリーブ８と回転部材との間のラジアル軸受隙間に生じる潤滑油の油膜で回転部材をラジアル方向に非接触支持するラジアル軸受とを備えた流体軸受装置において、ハウジング７は樹脂材料を型成形して形成されている。軸受スリーブ８は焼結金属の多孔質体で形成されている。軸受スリーブ８の外周面８ｄは、ハウジング７の内周面７ｃに圧入しろ５〜４５μｍで圧入されている。【選択図】  図２
2005282779.tif 000002
【特許請求の範囲】
【請求項１】
ハウジングと、該ハウジングの内部に固定された軸受スリーブと、前記ハウジング及び前記軸受スリーブに対して相対回転する回転部材と、前記軸受スリーブと前記回転部材との間のラジアル軸受隙間に生じる潤滑油の油膜で前記回転部材をラジアル方向に非接触支持するラジアル軸受部とを備えた流体軸受装置において、
前記ハウジングは樹脂材料を型成形して形成されていると共に、前記軸受スリーブは金属材料で形成され、かつ、前記軸受スリーブの外周面が前記ハウジングの内周面に圧入しろ５〜４５μｍで圧入されていることを特徴とする流体軸受装置。
【請求項２】
前記軸受スリーブを圧入した状態で、前記ハウジングの外周面の真円度が５μｍ以下である請求項１に記載の流体軸受装置。
【請求項３】
前記ハウジングは、円筒状の側部と、該側部の一端に一体に設けられた底部とを有する有底円筒状のものである請求項１に記載の流体軸受装置。
【請求項４】
前記軸受スリーブは、焼結金属で形成されている請求項１に記載の流体軸受装置。
【発明の詳細な説明】
【技術分野】
【０００１】
本発明は、ラジアル軸受隙間に生じる潤滑油の油膜によって回転部材を非接触支持する流体軸受装置に関する。この軸受装置は、情報機器、例えばＨＤＤ、ＦＤＤ等の磁気ディスク装置、ＣＤ−ＲＯＭ、ＣＤ−Ｒ／ＲＷ、ＤＶＤ−ＲＯＭ／ＲＡＭ等の光ディスク装置、ＭＤ、ＭＯ等の光磁気ディスク装置などのスピンドルモータ、レーザビームプリンタ（ＬＢＰ）のポリゴンスキャナモータ、あるいは電気機器、例えば軸流ファンなどの小型モータ用として好適である。
【背景技術】
【０００２】
上記各種モータには、高回転精度の他、高速化、低コスト化、低騒音化などが求められている。これらの要求性能を決定づける構成要素の一つに当該モータのスピンドルを支持する軸受があり、近年では、この種の軸受として、上記要求性能に優れた特性を有する流体軸受の使用が検討され、あるいは実際に使用されている。
【０００３】
この種の流体軸受は、軸受隙間内の潤滑油に動圧を発生させる動圧発生手段を備えた動圧軸受と、動圧発生手段を備えていないいわゆる真円軸受（軸受面が真円形状である軸受）とに大別される。
【０００４】
例えば、ＨＤＤ等のディスク駆動装置のスピンドルモータに組込まれる流体軸受装置では、軸部材をラジアル方向に非接触支持するラジアル軸受部と、軸部材をスラスト方向に非接触支持するスラスト軸受部とが設けられ、ラジアル軸受部として、軸受スリーブの内周面又は軸部材の外周面に動圧発生用の溝（動圧溝）を設けた動圧軸受が用いられる。スラスト軸受部としては、例えば、軸部材のフランジ部の両端面、又は、これに対向する面（軸受スリーブの端面や、ハウジングに固定されるスラスト部材の端面等）に動圧溝を設けた動圧軸受が用いられる（例えば、特許文献１参照）。あるいは、スラスト軸受部として、軸部材の一端面をスラストプレートによって接触支持する構造の軸受（いわゆるピボット軸受）が用いられる場合もある（例えば、特許文献２参照）。
【０００５】
通常、軸受スリーブはハウジングの内周の所定位置に固定され、また、ハウジングの内部空間に注油した潤滑油が外部に漏れるのを防止するために、ハウジングの開口部にシール部材を配設する場合が多い。
【特許文献１】特開２０００―２９１６４８号公報
【特許文献２】特開平１１−１９１９４３号公報
【発明の開示】
【発明が解決しようとする課題】
【０００６】
上記構成の流体軸受装置は、ハウジング、軸受スリーブ、軸部材、スラスト部材、及びシール部材といった部品で構成され、情報機器の益々の高性能化に伴って必要とされる高い軸受性能を確保すべく、各部品の加工精度や組立精度を高める努力がなされている。その一方で、情報機器の低価格化の傾向に伴い、この種の流体軸受装置に対するコスト低減の要求も益々厳しくなっている。
【０００７】
この種の流体軸受装置のコスト低減を図る手段として、ハウジングを樹脂成形（射出成形等）することが考えられる。しかしながら、樹脂成形によるハウジングは、成形時の樹脂収縮などの影響により、金属の機械加工によるハウジングに比べて、外周面の真円度が悪くなる傾向がある。例えば、ハウジング単体の状態において、金属の機械加工によるハウジングでは、外周面の真円度を２μｍ程度（半径値）に抑えることができるのに対し、樹脂成形によるハウジングでは、外周面の真円度は１０〜２０μｍ程度（半径値）になる。このようなハウジング外周面の真円度の悪化は、次のような問題を生じさせる可能性がある。
【０００８】
すなわち、この種の流体動圧軸受装置を上記の各種モータの回転支持部に用いる場合、通常、ハウジングの外周面をブラッケット（保持部材）の内周面に接着剤を介して密着固定するが、その際の接着強度を考慮して、両者の接着部の軸方向寸法や接着剤の充填隙間が決められている。しかしながら、ハウジングの外周面の真円度が悪いと、保持部材の内周面に装着したときに、接着剤の充填隙間が円周方向で不均一になり、接着強度の低下や共振の問題が起こることが心配される。
【０００９】
また、ハウジングの外周面をブラッケット（保持部材）の内周面に圧入により密着固定することも考えられるが、この場合も、ハウジングの外周面の真円度が悪いと、保持部材の内周面に圧入したときに、圧入しろが円周方向で不均一になり、圧入強度の低下や共振の問題が起こることが心配される。
【００１０】
本発明の課題は、この種の流体軸受装置における樹脂成形ハウジングの外周面の真円度を改善することである。
【課題を解決するための手段】
【００１１】
上記課題を解決するため、本発明は、ハウジングと、ハウジングの内部に固定された軸受スリーブと、ハウジング及び軸受スリーブに対して相対回転する回転部材と、軸受スリーブと回転部材との間のラジアル軸受隙間に生じる潤滑油の油膜で回転部材をラジアル方向に非接触支持するラジアル軸受部とを備えた流体軸受装置において、ハウジングを樹脂材料の型成形により形成すると共に、軸受スリーブを金属材料で形成し、かつ、軸受スリーブの外周面をハウジングの内周面に圧入しろ５〜４５μｍで圧入した構成を提供する。ここで、圧入しろの値５〜４５μｍは、２０°Ｃの温度条件下で測定した、軸受スリーブの外周面の平均直径（真円度測定器等で測定した外周面形状の外接円の直径と内接円の直径との平均値）とハウジングの内周面の平均直径（真円度測定器等で測定した内周面形状の外接円の直径と内接円の直径との平均値）との差（直径差）である。また、本明細書において、真円度は、２０°Ｃの温度条件下で真円度測定器により測定した周面形状において、該周面形状の外接円の直径と内接円の直径との差の２分の１の値（半径真円度）である。
【００１２】
樹脂材料を型成形（射出成形等）して形成された樹脂製のハウジングは、旋削等の機械加工による金属製ハウジングに比べて低コストで製造することができる。また、樹脂製のハウジングの内周面に金属製の軸受スリーブの外周面を所定の圧入しろで圧入することにより、軸受スリーブの外周面の真円度がハウジングに転写され、ハウジングの外周面の真円度がハウジング単体の場合に比べて改善される。このような、ハウジング外周面の真円度の良好な改善効果を得るためには、上記圧入しろは５μｍ以上、好ましくは１０μｍ以上必要である。一方、上記圧入しろが４５μｍを超えると、圧入に伴う内部応力によってハウジングにクラックが発生する可能性があるため、上記圧入しろは４５μｍ以下にする必要がある。尚、ハウジングに対する軸受スリーブの固定は、上記の圧入のみによって行っても良いし、上記圧入に加え、接着、超音波溶着等の固定手段を併用しても良い。
【００１３】
軸受スリーブを焼結金属の多孔質体で形成する場合、軸受スリーブの外周面の真円度は、通常、５μｍ未満にサイジングされる。したがって、該軸受スリーブを樹脂製ハウジングの内周面に上記圧入しろで圧入することにより、該ハウジングの外周面の真円度を５μｍ以下に改善することが可能である。
【００１４】
本発明において、ハウジングの形状は特に限定されないが、例えば、ハウジングとして、円筒状の側部と、該側部の一端に一体に設けられた底部とを有する有底円筒状のものを用いることができる。
【００１５】
ハウジングを形成する樹脂は主に熱可塑性樹脂であり、例えば、非晶性樹脂として、ポリサルフォン（ＰＦＳ）、ポリエーテルサルフォン（ＰＥＳ）、ポリフェニルサルフォン（ＰＰＳＦ）、ポリエーテルイミド（ＰＥＩ）等、結晶性樹脂として、液晶ポリマー（ＬＣＰ）、ポリエーテルエーテルケトン（ＰＥＥＫ）、ポリブチレンテレフタレート（ＰＢＴ）、ポリフェニレンサルファイド（ＰＰＳ）等を用いることができる。
【００１６】
また、上記の樹脂に充填する充填材の種類も特に限定されないが、例えば、充填材として、ガラス繊維等の繊維状充填材、チタン酸カリウム等のウィスカー状充填材、マイカ等の鱗片状充填材、カーボンファイバー、カーボンブラック、黒鉛、カーボンナノマテリアル、金属粉末等の繊維状又は粉末状の導電性充填材を用いることができる。これらの充填材は、単独で用い、あるいは、二種以上を混合して使用しても良い。
【発明の効果】
【００１７】
本発明によれば、この種の流体軸受装置における樹脂成形ハウジングの外周面の真円度を改善することができる。
【発明を実施するための最良の形態】
【００１８】
以下、本発明の実施形態について説明する。
【００１９】
図１は、この実施形態に係る流体軸受装置（流体動圧軸受装置）１を組み込んだ情報機器用スピンドルモータの一構成例を概念的に示している。このスピンドルモータは、ＨＤＤ等のディスク駆動装置に用いられるもので、軸部材２を回転自在に非接触支持する流体軸受装置１と、軸部材２に装着されたロータ（ディスクハブ）３と、例えば半径方向のギャップを介して対向させたステータ４およびロータマグネット５とを備えている。ステータ４はブラケット６の外周に取付けられ、ロータマグネット５はディスクハブ３の内周に取付けられる。流体軸受装置１のハウジング７は、ブラケット（保持部材）６の内周に装着される。ディスクハブ３には、磁気ディスク等のディスクＤが一又は複数枚保持される。ステータ４に通電すると、ステータ４とロータマグネット５との間の電磁力でロータマグネット５が回転し、それによって、ディスクハブ３および軸部材２が一体となって回転する。
【００２０】
図２は、流体軸受装置１を示している。この流体軸受装置１は、ハウジング７と、ハウジング７に固定された軸受スリーブ８およびシール部材９と、軸部材２とを構成部品して構成される。
【００２１】
軸受スリーブ８の内周面８ａと軸部材２の軸部２ａの外周面２ａ１との間に第１ラジアル軸受部Ｒ１と第２ラジアル軸受部Ｒ２とが軸方向に離隔して設けられる。また、軸受スリーブ８の下側端面８ｃと軸部材２のフランジ部２ｂの上側端面２ｂ１との間に第１スラスト軸受部Ｔ１が設けられ、ハウジング７の底部７ｂの内底面７ｂ１とフランジ部２ｂの下側端面２ｂ２との間に第２スラスト軸受部Ｔ２が設けられる。尚、説明の便宜上、ハウジング７の底部７ｂの側を下側、底部７ｂと反対の側を上側として説明を進める。
【００２２】
ハウジング７は、例えば、結晶性樹脂としての液晶ポリマー（ＬＣＰ）に、導電性充填材としてのカーボンファイバー又はカーボンナノチューブを２〜８ｗｔ％配合した樹脂材料を射出成形して有底筒状に形成され、円筒状の側部７ａと、側部７ａの下端に一体に設けられた底部７ｂとを備えている。図３に示すように、第２スラスト軸受部Ｔ２のスラスト軸受面となる、底部７ｂの内底面７ｂ１には、例えばスパイラル形状の動圧溝７ｂ２が形成される。この動圧溝７ｂ２は、ハウジング７の射出成形時に成形されたものである。すなわち、ハウジング７を成形する成形型の所要部位（内底面７ｂ１を成形する部位）に、動圧溝７ｂ２を成形する溝型を加工しておき、ハウジング７の射出成形時に上記溝型の形状をハウジング７の内底面７ｂ１に転写することにより、動圧溝７ｂ２をハウジング７の成形と同時成形することができる。また、内底面（スラスト軸受面）７ｂ１から軸方向上方に所定寸法ｘだけ離れた位置に段部７ｄが一体に形成されている。
【００２３】
軸部材２は、例えば、ステンレス鋼等の金属材料で形成され、あるいは、金属と樹脂とのハイブリッド構造とされ、軸部２ａと、軸部２ａの下端に一体又は別体に設けられたフランジ部２ｂとを備えている。
【００２４】
軸受スリーブ８は、例えば、焼結金属からなる多孔質体、特に銅を主成分とする燒結金属の多孔質体で円筒状に形成され、ハウジング７の内周面７ｃの所定位置に固定される。
【００２５】
この焼結金属で形成された軸受スリーブ８の内周面８ａには、第１ラジアル軸受部Ｒ１と第２ラジアル軸受部Ｒ２のラジアル軸受面となる上下２つの領域が軸方向に離隔して設けられ、該２つの領域には、例えば図４（ａ）に示すようなヘリングボーン形状の動圧溝８ａ１、８ａ２がそれぞれ形成される。上側の動圧溝８ａ１は、軸方向中心ｍ（上下の傾斜溝間領域の軸方向中央）に対して軸方向非対称に形成されており、軸方向中心ｍより上側領域の軸方向寸法Ｘ１が下側領域の軸方向寸法Ｘ２よりも大きくなっている。また、軸受スリーブ８の外周面８ｄには、１又は複数本の軸方向溝８ｄ１が軸方向全長に亙って形成される。この例では、３本の軸方向溝８ｄ１を円周方向等間隔に形成している。尚、軸受スリーブ８の外周面８ｄは、真円度５μｍ未満でサイジングされている。
【００２６】
第１スラスト軸受部Ｔ１のスラスト軸受面となる、軸受スリーブ８の下側端面８ｃには、例えば図４（ｂ）に示すようなスパイラル形状の動圧溝８ｃ１が形成される。
【００２７】
図４（ｃ）に示すように、軸受スリーブ８の上側端面８ｂは、半径方向の略中央部に設けられた円周溝８ｂ１により、内径側領域８ｂ２と外径側領域８ｂ３に区画され、内径側領域８ｂ２には、１又は複数本の半径方向溝８ｂ２１が形成される。この例では、３本の半径方向溝８ｂ２１が円周等間隔に形成されている。
【００２８】
シール部材９は、例えば、ハウジング７の側部７ａの上端部内周に固定され、その内周面９ａは、軸部２ａの外周に設けられたテーパ面２ａ２と所定のシール空間Ｓを介して対向する。尚、軸部２ａのテーパ面２ａ２は上側（ハウジング７に対して外部側）に向かって漸次縮径し、軸部材２の回転により遠心力シールとしても機能する。また、シール部材９の下側端面９ｂの外径側領域９ｂ１は内径側領域よりも僅かに大径に形成されている。
【００２９】
この実施形態の流体動圧軸受装置１は、例えば、次のような工程で組立てる。
【００３０】
まず、軸部材２を軸受スリーブ８に装着する。そして、軸受スリーブ８を軸部材２と伴にハウジング７の内部に収容し、軸受スリーブ８の外周面８ｄをハウジング７の側部７ａの内周面７ｃに所定の圧入しろで圧入すると共に、その下側端面８ｃをハウジング７の段部７ｄに当接させる。これにより、ハウジング７に対する軸受スリーブ８の円周方向位置及び軸方向位置が決まる。
【００３１】
図５は、圧入後のハウジング７と軸受スリーブ８の横断面を示している。軸受スリーブ８の外周面８ｄとハウジングの内周面７ｃとの圧入しろδは５〜４５μｍに管理されている。厳密に言うと、この圧入しろδの値５〜４５μｍは、２０°Ｃの温度条件下で測定した、軸受スリーブ８の外周面８ｄの平均直径（真円度測定器で測定した外周面形状の外接円の直径と内接円の直径との平均値）とハウジング７の内周面７ｃの平均直径（真円度測定器で測定した内周面形状の外接円の直径と内接円の直径との平均値）との差（直径差）である。このように、ハウジング７の内周面７ｃに軸受スリーブ８の外周面８ｄを圧入しろδ＝５〜４５μｍで圧入することにより、軸受スリーブ８の外周面８ｄの真円度（５μｍ未満）がハウジング７に転写され、ハウジング７の外周面の真円度がハウジング７単体の場合に比べて改善される。また、軸受スリーブ８の軸方向溝８ｄ１と対向する位置において、ハウジング７の内周面７ｃの一部分が内径方向にリブ状に突出し、このリブ状部７ｃ１が軸方向溝８ｄ１と回転方向に係合することにより、ハウジング７と軸受スリーブ８とが回転方向に位置ずれしにくくなる。尚、ハウジング７に対する軸受スリーブ８の固定は、上記の圧入のみによって行っても良いし、上記の圧入に加え、接着、超音波溶着等の固定手段を併用しても良い。
【００３２】
つぎに、シール部材９をハウジング７の側部７ａの上端部内周に挿入し、その下側端面９ｂの内径側領域を軸受スリーブ８の上側端面８ｂの内径側領域８ｂ２に当接させる。そして、この状態で、シール部材９を適宜の手段、例えば超音波溶着、圧入、接着等によってハウジング７に固定する。尚、シール部材９の外周面に凸状のリブ９ｃを設けておくと、超音波溶着による固定力を高める上で効果的である。
【００３３】
上記のようにして組立が完了すると、軸部材２の軸部２ａは軸受スリーブ８の内周面８ａに挿入され、フランジ部２ｂは軸受スリーブ８の下側端面８ｃとハウジング７の内底面７ｂ１との間の空間部に収容された状態となる。その後、シール部材９で密封されたハウジング７の内部空間は、軸受スリーブ８の内部気孔を含め、潤滑油で充満される。潤滑油の油面は、シール空間Ｓの範囲内に維持される。
【００３４】
軸部材２の回転時、軸受スリーブ８の内周面８ａのラジアル軸受面となる領域（上下２箇所の領域）は、それぞれ、軸部２ａの外周面２ａ１とラジアル軸受隙間を介して対向する。また、軸受スリーブ８の下側端面８ｃのスラスト軸受面となる領域はフランジ部２ｂの上側端面２ｂ１とスラスト軸受隙間を介して対向し、ハウジング７の内底面７ｂ１のスラスト軸受面となる領域はフランジ部２ｂの下側端面２ｂ２とスラスト軸受隙間を介して対向する。そして、軸部材２の回転に伴い、上記ラジアル軸受隙間に潤滑油の動圧が発生し、軸部材２の軸部２ａが上記ラジアル軸受隙間内に形成される潤滑油の油膜によってラジアル方向に回転自在に非接触支持される。これにより、軸部材２をラジアル方向に回転自在に非接触支持する第１ラジアル軸受部Ｒ１と第２ラジアル軸受部Ｒ２とが構成される。同時に、上記スラスト軸受隙間に潤滑油の動圧が発生し、軸部材２のフランジ部２ｂが上記スラスト軸受隙間内に形成される潤滑油の油膜によって両スラスト方向に回転自在に非接触支持される。これにより、軸部材２をスラスト方向に回転自在に非接触支持する第１スラスト軸受部Ｔ２と第２スラスト軸受部Ｔ２とが構成される。第１スラスト軸受部Ｔ１のスラスト軸受隙間（δ１とする。）と第２スラスト軸受部Ｔ２のスラスト軸受隙間（δ２とする。）は、ハウジング７の内底面７ｂ１から段部７ｄまでの軸方向寸法ｘと、軸部材２のフランジ部２ｂの軸方向寸法（ｗとする。）とにより、ｘ−ｗ＝δ１＋δ２として精度良く管理することができる。
【００３５】
前述したように、第１ラジアル軸受部Ｒ１の動圧溝８ａ１は、軸方向中心ｍに対して軸方向非対称に形成されており、軸方向中心ｍより上側領域の軸方向寸法Ｘ１が下側領域の軸方向寸法Ｘ２よりも大きくなっている｛図４（ａ）｝。そのため、軸部材２の回転時、動圧溝８ａ１による潤滑油の引き込み力（ポンピング力）は上側領域が下側領域に比べて相対的に大きくなる。そして、この引き込み力の差圧によって、軸受スリーブ８の内周面８ａと軸部２ａの外周面２ａ１との間の隙間に満たされた潤滑油が下方に流動し、第１スラスト軸受部Ｔ１のスラスト軸受隙間→軸方向溝８ｄ１→シール部材９の下側端面９ｂの外径側領域９ｂ１と軸受スリーブ８の上側端面８ｂの外径側領域８ｂ３との間の環状隙間→軸受スリーブ８の上側端面８ｂの円周溝８ｂ１→軸受スリーブ８の上側端面８ｂの半径方向溝８ｂ２１という経路を循環して、第１ラジアル軸受部Ｒ１のラジアル軸受隙間に再び引き込まれる。このように、潤滑油がハウジング７の内部空間を流動循環するように構成することで、内部空間内の潤滑油の圧力が局部的に負圧になる現象を防止して、負圧発生に伴う気泡の生成、気泡の生成に起因する潤滑油の漏れや振動の発生等の問題を解消することができる。また、何らかの理由で潤滑油中に気泡が混入した場合でも、気泡が潤滑油に伴って循環する際にシール空間Ｓ内の潤滑油の油面（気液界面）から外気に排出されるので、気泡による悪影響はより一層効果的に防止される。
【実施例１】
【００３６】
図２に示す実施形態のハウジング７の内周面７ｃに軸受スリーブ８の外周面８ｄを種々の圧入しろδ（μｍ）で圧入し、圧入しろδ（μｍ）とハウジング７の外周面の真円度との関係を求めた。その測定結果を図６に示す。尚、ハウジング７は、外径＝９．５ｍｍ、内外径比（外径／内径）＝１．２〜１．３、ヤング率＝１０〜２０ＧＰａである。
【００３７】
図６に示すように、ハウジング７の外周面の真円度は圧入しろδが大きくなるに従って小さくなる傾向が見られ、特に、δ＝５μｍ未満では急激な減少カーブを描いた。この真円度の減少カーブはδ＝５μｍの付近から緩やかになり、δ＝５μｍで真円度５μｍに近づいた後、δ＝１０μｍで真円度５μｍに達し、その後は、真円度５μｍか、これを若干下回る値で推移した。
【００３８】
上記の測定結果より、ハウジング７の外周面の真円度は、圧入しろδ＝５μｍで約５μｍになり、圧入しろδ≧１０μｍで５μｍ以下になることが確認された。
【図面の簡単な説明】
【００３９】
【図１】本発明の実施形態に係る流体軸受装置を組み込んだ情報機器用スピンドルモータの断面図である。
【図２】本発明の実施形態に係る流体軸受装置を示す断面図である。
【図３】ハウジングを図２のＡ方向から見た図である。
【図４】軸受スリーブの断面図｛図４（ａ）｝、下側端面｛図４（ｂ）｝、上側端面｛図４（ｃ）｝を示す図である。
【図５】圧入後のハウジングと軸受スリーブを示す横断面図である。
【図６】圧入しろとハウジング外周面の真円度との関係を示す図である。
【符号の説明】
【００４０】
１    流体軸受装置
２    軸部材
７    ハウジング
８    軸受スリーブ
Ｒ１、Ｒ２  ラジアル軸受部
Ｔ１、Ｔ２  スラスト軸受部
【図１】
2005282779.tif 000003
【図２】
2005282779.tif 000004
【図３】
2005282779.tif 000005
【図４】
2005282779.tif 000006
【図５】
2005282779.tif 000007
【図６】
2005282779.tif 000008